(57)【要約】【課題】  ＣＰＵのマグネットリングの磁界を乱すことなく速度変調コイルの磁界を強調する。【解決手段】  ネック部３の外周面上にコンバーゼンスを補正するための複数のマグネットリング１３Ａ，１３Ｂ，１４，１５がスペーサ１６，１７，１８を挟んで管軸方向に配置される。マグネットリングと管軸方向における位置が重複するように、電子ビームの水平方向の走査速度を変調する速度変調コイル１９が配置される。スペーサのうちの少なくとも１つは磁性体のみからなる。あるいは、スペーサのうちの少なくとも１つは磁性体からなり、磁性体からなるスペーサの半径方向の最外表面が非金属製材料で覆われている。【選択図】  図２
2005285751.tif 000002
【特許請求の範囲】
【請求項１】
内面に蛍光体スクリーンが形成されたフェース部と、
前記フェース部と接合されたファンネル部と、
前記ファンネル部のネック部内に収納された電子銃と、
前記ファンネル部の外周面上に設けられ、前記電子銃から射出された電子ビームを水平方向及び垂直方向に偏向させる偏向ヨークと、
前記ネック部の外周面上に管軸方向に配置された、コンバーゼンスを補正するための複数のマグネットリングと、
管軸方向に配置された前記マグネットリングの間に配置された少なくとも１以上のスペーサと、
前記マグネットリングと管軸方向における位置が重複するように設けられ、前記電子ビームの水平方向の走査速度を変調する速度変調コイルと
を備えた陰極線管装置であって、
前記スペーサのうちの少なくとも１つは磁性体のみからなることを特徴とする陰極線管装置。
【請求項２】
内面に蛍光体スクリーンが形成されたフェース部と、
前記フェース部と接合されたファンネル部と、
前記ファンネル部のネック部内に収納された電子銃と、
前記ファンネル部の外周面上に設けられ、前記電子銃から射出された電子ビームを水平方向及び垂直方向に偏向させる偏向ヨークと、
前記ネック部の外周面上に管軸方向に配置された、コンバーゼンスを補正するための複数のマグネットリングと、
管軸方向に配置された前記マグネットリングの間に配置された少なくとも１以上のスペーサと、
前記マグネットリングと管軸方向における位置が重複するように設けられ、前記電子ビームの水平方向の走査速度を変調する速度変調コイルと
を備えた陰極線管装置であって、
前記スペーサのうちの少なくとも１つは磁性体からなり、磁性体からなる前記スペーサの半径方向の最外表面が非金属製材料で覆われていることを特徴とする陰極線管装置。
【請求項３】
磁性体からなる前記スペーサが環状である請求項１又は２に記載の陰極線管装置。
【請求項４】
前記磁性体がＭｇ−Ｚｎフェライトの焼結体である請求項１又は２に記載の陰極線管装置。
【請求項５】
前記マグネットリングを３組以上有し、磁性体からなる前記スペーサを複数有する請求項１又は２に記載の陰極線管装置。
【請求項６】
磁性体からなる前記スペーサの管軸方向における位置は、前記電子銃においてメインレンズを形成する、管軸方向に離間して配置された２つの電極間の間隙の管軸方向における位置と一致している請求項１又は２に記載の陰極線管装置。
【請求項７】
磁性体からなる前記スペーサの厚みが２ｍｍ〜５ｍｍである請求項１又は２に記載の陰極線管装置。
【発明の詳細な説明】
【技術分野】
【０００１】
本発明は、陰極線管装置に関する。
【背景技術】
【０００２】
近年、テレビ受像機などにおいて、その大型化に伴って、更なる高画質化が求められてきている。そのためのひとつの手法として、画像の輪郭を強調して画質を鮮鋭化するために速度変調コイルを装着した陰極線管装置が考案されている。速度変調コイルは、電子ビームの垂直走査方向に磁界を形成し、電子ビームの水平走査方向の走査速度を変化させて、画像の輪郭の強調を行う（例えば特許文献１参照）。
【０００３】
更に、特許文献２には、速度変調コイルの一対のループコイルとそれぞれ対をなすように一対の強磁性体をファンネルのネック部の外周面上に対向して配置することが記載されている。これによれば、速度変調コイルにより発生される磁界を強磁性体により強化して電子ビームに集中して作用させることができるので、速度変調効果を向上させることができる。
【特許文献１】実公昭５７−４５６５０号公報
【特許文献２】特開２００３−１１６０１９号公報
【発明の開示】
【発明が解決しようとする課題】
【０００４】
一方、通常のカラー陰極線管装置は偏向ヨークとＣＰＵ（Ｃｏｎｖｅｒｇｅｎｃｅ  ａｎｄ  Ｐｕｒｉｔｙ  Ｕｎｉｔ）とを備えているのが一般的である。ＣＰＵは電子ビームに対して磁界を印加する２極、４極、６極の各マグネットリングを備えており、電子銃が内蔵されているファンネルのネック部の外周面上に取り付けられる。
【０００５】
速度変調コイルと、この磁界を強化し集中させる強磁性体と、ＣＰＵとをファンネルのネック部外周面上に搭載する場合、従来は、速度変調コイルのループコイルの開口内に強磁性体を配置し、これらを覆うようにＣＰＵのマグネットリングが配置されていた。従って、管軸と直交する方向から見たとき、強磁性体とＣＰＵのマグネットリングとが重なり合うことになる。この結果、ＣＰＵのマグネットリングが発する磁界がその内側に配された強磁性体の影響を受けて不均一になり、ＣＰＵによるコンバーゼンス補正効果が十分に得られないという問題があった。
【０００６】
本発明は、従来の陰極線管装置における上記の問題を解決し、ＣＰＵのマグネットリングの磁界を乱すことなく速度変調コイルの磁界を強調することができ、その結果、良好な画質を表示可能な陰極線管装置を提供することを目的とする。
【課題を解決するための手段】
【０００７】
本発明の陰極線管装置は、内面に蛍光体スクリーンが形成されたフェース部と、前記フェース部と接合されたファンネル部と、前記ファンネル部のネック部内に収納された電子銃と、前記ファンネル部の外周面上に設けられ、前記電子銃から射出された電子ビームを水平方向及び垂直方向に偏向させる偏向ヨークと、前記ネック部の外周面上に管軸方向に配置された、コンバーゼンスを補正するための複数のマグネットリングと、管軸方向に配置された前記マグネットリングの間に配置された少なくとも１以上のスペーサと、前記マグネットリングと管軸方向における位置が重複するように設けられ、前記電子ビームの水平方向の走査速度を変調する速度変調コイルとを備える。
【０００８】
第１の陰極線管装置は、上記において、前記スペーサのうちの少なくとも１つは磁性体のみからなることを特徴とする。
【０００９】
第２の陰極線管装置は、上記において、前記スペーサのうちの少なくとも１つは磁性体からなり、磁性体からなる前記スペーサの半径方向の最外表面が非金属製材料で覆われていることを特徴とする。
【発明の効果】
【００１０】
本発明の第１及び第２の陰極線管装置によれば、ＣＰＵのマグネットリングとマグネットリングとの間に磁性体のスペーサが配置されているので、ＣＰＵのマグネットリングの磁界が乱されることなく、また、部品点数を増加させることなく、速度変調コイルの磁束密度を高め、速度変調感度を向上させることができる。従って、画質を著しく向上させることができる。また、磁性体からなるスペーサはマグネットリングの回転位相を調整して行うコンバーゼンス補正作業に何ら影響を及ぼさないので、マグネットリングを用いて容易に良好なコンバーゼンスを得ることができる。
【００１１】
また、第１の陰極線管装置では、スペーサの少なくとも１つが磁性体のみからなるので、スペーサを低コストで作成できる。
【００１２】
また、第２の陰極線管装置では、磁性体からなるスペーサの半径方向の最外表面が非金属製材料で覆われているので、スペーサの割れを防止でき、また仮に割れたとしてもその形状を保持し続けることができる。
【発明を実施するための最良の形態】
【００１３】
本発明の上記の第１及び第２の陰極線管装置において、磁性体からなる前記スペーサが環状であることが好ましい。これにより、管軸回りの位相を考慮することなくスペーサを装着することができ、且つ管軸回りの位相にかかわらず速度変調コイルの磁束密度の向上効果を常に安定して得ることができる。
【００１４】
前記磁性体がＭｇ−Ｚｎフェライトの焼結体であることが好ましい。これにより、効率よく磁束密度を向上させることができる。
【００１５】
前記マグネットリングを３組以上有し、磁性体からなる前記スペーサを複数有することが好ましい。磁性体からなるスペーサの数が多いほど、速度変調コイルの磁束密度の向上効果が増大し、画質を改善することができる。
【００１６】
磁性体からなる前記スペーサの管軸方向における位置は、前記電子銃においてメインレンズを形成する、管軸方向に離間して配置された２つの電極間の間隙の管軸方向における位置と一致していることが好ましい。これにより、速度変調コイルの磁界の損失を少なくすることができる。
【００１７】
磁性体からなる前記スペーサの厚みが２ｍｍ〜５ｍｍであることが好ましい。厚みが２ｍｍ未満では速度変調コイルの磁束密度の向上効果が低下する。また、厚みが５ｍｍを超えるとＣＰＵの管軸方向寸法が拡大する。
【００１８】
以下、本発明を実施の形態を示しながら説明する。
【００１９】
図１は本発明の一実施形態に係る陰極線管装置の概略構成を示す片断面図である。図１に示すように、本実施形態の陰極線管装置は、内面に蛍光体スクリーン１Ａが形成されたフェース部１、フェース部１に接合されたファンネル部２、及びファンネル部２の最細部であるネック部３からなる陰極線管と、ファンネル部２からネック部３に至る部分の外周面上に備えられて、電子ビームを偏向させる偏向ヨーク４と、これよりネック部３の先端側に備えられて、コンバーゼンスを補正するＣＰＵ５とからなる。ネック部３内には電子銃６が備えられている。
【００２０】
偏向ヨーク４は、電子銃６から射出される３本の電子ビームを上下・左右に偏向し、蛍光体スクリーン１Ａ上を走査させる。偏向ヨーク４は、水平偏向コイル４１と垂直偏向コイル４２とフェライトコア４３とを備えている。水平偏向コイル４１と垂直偏向コイル４２との間には、樹脂製の絶縁枠４４が設けられている。絶縁枠４４は、水平偏向コイル４１と垂直偏向コイル４２との間の電気的な絶縁状態を維持すると共に、両偏向コイル４１、４２を支持する役割を果たしている。
【００２１】
図２は、ネック部３付近の拡大断面図である。電子銃６は、主に３個の陰極７、制御電極８、加速電極９Ａ，９Ｂ、集束電極１０Ａ，１０Ｂ，１０Ｃ、陽極１１を備える。２２は陽極１１に接合されたシールドカップである。各電極に所定の電圧が印加されることにより、集束電極１０Ｃと陽極１１との間近傍にメインレンズ１２を形成し、蛍光体スクリーン１Ａにおいて良好なフォーカスが得られる。
【００２２】
ＣＰＵ５は、ピュリティ調整を行うための２極マグネットリング１３Ａと、ラスター歪を調整するための２極マグネットリング１３Ｂと、コンバーゼンスの調整を行うための４極マグネットリング１４及び６極マグネットリング１５と、円環状のスペーサ１６，１７，１８とを備える。スペーサ１６，１７，１８は、隣り合うマグネットリングの間に距離を確保するものであり、換言すれば隣り合うマグネットリングの間の隙間を埋めるものである。マグネットリング１３Ａ，１３Ｂ，１４，１５及びスペーサ１６，１７，１８は、ネック部３の外周面上に固定された略円筒形状の樹脂枠２０に外挿されて保持されている。マグネットリング１３Ａ，１３Ｂ，１４，１５はいずれも円環状の一対の磁性体からなり、図示したように、偏向ヨーク４側からネック部３の端部側に向かって、ピュリティ調整用２極マグネットリング１３Ａ、ラスター歪調整用２極マグネットリング１３Ｂ、コンバーゼンスの調整用４極マグネットリング１４、コンバーゼンスの調整用６極マグネットリング１５の順に配列されている。２極マグネットリング１３Ａと２極マグネットリング１３Ｂとの間にスペーサ１６が、２極マグネットリング１３Ｂと４極マグネットリング１４との間にスペーサ１７が、４極マグネットリング１４と６極マグネットリング１５との間にスペーサ１８が、それぞれマグネットリング間を埋めるようにマグネットリングに密着して配置されている。
【００２３】
１９は画像の輪郭強調を行うための速度変調コイル１９である。速度変調コイル１９は、一対のループコイル１９Ａ，１９Ｂからなり、垂直方向に対向するように樹脂枠２０に保持されている。
【００２４】
図３（Ａ）は速度変調コイル１９の概略構成を示した斜視図、図３（Ｂ）は図３（Ａ）に示す管軸に沿った矢印３Ｂから見た速度変調コイル１９の正面図、図３（Ｃ）は速度変調コイル１９を構成するループコイル１９Ａ，１９Ｂを平面上に展開した展開図である。
【００２５】
速度変調コイル１９の一実施例を示す。コイル１９Ａ，１９Ｂは、素線径０．４ｍｍのポリウレタン被覆がされた銅線を略方形に４巻されてなり、図３（Ａ）に示すように、その対向する一対の辺をネック部３の外周形状に沿うように湾曲させて垂直方向に対向して配置される。略方形のコイル１９Ａ，１９Ｂの寸法は、図３（Ｃ）に示すように平面上に展開した状態で、管軸方向と略平行に配置される辺の長さＬ１＝２５ｍｍ、幅Ｗ１＝３５ｍｍである。図３（Ｂ）に示すように、幅Ｗ１を有する辺を直径Ｄ１＝３３ｍｍの仮想円筒面に沿うように湾曲変形させて、コイル１９Ａ，１９Ｂが樹脂枠２０に装着される。このとき、図３（Ｂ）に示す管軸と直交する水平方向におけるコイル１９Ａ，１９Ｂの幅Ｗ２＝３０ｍｍである。なお、Ｄ２はネック部３の外径であり、Ｄ１＞Ｄ２である。速度変調コイル１９には、映像信号を微分して得られる速度変調信号に応じた電流が通電される。
【００２６】
図２に示すように、速度変調コイル１９とＣＰＵ５を構成するマグネットリング１３Ａ，１３Ｂ，１４，１５とは、それぞれの管軸方向における位置が互いに重複するように配置される。２極マグネットリング１３Ａは、ピュリティ補正によるフォーカスの劣化を抑えるため、管軸方向においてメインレンズ１２とほぼ同じ位置に配置される。速度変調コイル１９から発生された磁界を電子ビームに効果的に印加するためには、メインレンズ１２を形成する集束電極１０Ｃと陽極１１との間隙に速度変調コイル１９から発生された磁界を集中させることが好ましい。そこで、スペーサ１６，１７，１８のうち、２組の２極マグネットリング１３Ａ，１３Ｂの間に配置されて、２極マグネットリング１３Ａの最も近くに配されるスペーサ１６が磁性体からなる。一実施例では、スペーサ１６として磁性体であるＭｇ−Ｚｎフェライトの焼結体を用いることができる。他のスペーサ１７，１８は樹脂製である。スペーサ１６の内径は２極マグネットリング１３Ａの内径と同じで３３ｍｍ、外径は４４ｍｍ、厚み（管軸方向の寸法）は３ｍｍである。
【００２７】
速度変調コイル１９から発生された磁界を効果的に電子ビームに印加するためには、磁性体からなるスペーサ１６の内径は小さいほど、外径は大きいほど、厚みは厚いほどよい。但し、一般的には、場所的な制約により寸法が決定されることが多い。磁性体からなるスペーサ１６が薄すぎると磁性体が割れやすく、速度変調感度が劣化する。したがって厚みは２ｍｍ以上が好ましい。但し、厚すぎるとＣＰＵ５の管軸方向の寸法が大きくなるので、一般に５ｍｍ以下であることが好ましい。
【００２８】
磁性体のスペーサ１６を用いることにより、ネック部３内で電子ビームに作用する磁束の密度を高めることが可能となる。このことを図を用いて説明する。図４（Ａ）は全てのスペーサが樹脂製である場合の磁束の様子を示しており、図４（Ｂ）は磁性体のスペーサ１６を備えた場合の磁束の様子を示している。図４（Ａ）及び図４（Ｂ）は共に、速度変調コイル１９と交差する管軸に垂直な面での磁束の概略を示している。図４（Ａ）及び図４（Ｂ）からわかるように、磁性体のスペーサ１６を用いると有芯効果により磁性体のスペーサ１６の内側領域（ネック部３内における電子ビーム通過領域）に磁束が集中するので、電子ビームに作用する磁束の密度が高くなる。しかも、スペーサ１６は、管軸方向において、電子銃６においてメインレンズ１２を形成する集束電極１０Ｃと陽極１１との間の間隙とほぼ同じ位置に設けられているので、電極における渦電流損の影響を可能な限り避けることができるとともに、磁界領域を広域にすることができる。よって、効果的に速度変調の感度を向上させることができる。
【００２９】
ネック部３の中央での管軸に沿った集束電極１０Ｂ付近からシールドカップ２２付近の磁束密度分布を図５を用いて説明する。図５（Ａ）はネック部３の管軸に沿った断面図、図５（Ｂ）は全てのスペーサが樹脂製である場合において管軸（Ｚ軸）に沿って磁束密度変化を測定した結果を示した図、図５（Ｃ）は磁性体からなるスペーサ１６を用いた場合において管軸（Ｚ軸）に沿って磁束密度変化を測定した結果を示した図である。図５（Ｂ）及び図５（Ｃ）より、磁性体のスペーサ１６を用いることによりメインレンズ付近の磁束密度が約２倍になっていることがわかる。
【００３０】
次に本発明の効果を確認した実験結果について説明する。実際に本発明に係る陰極線管装置（本発明品）を製作して速度変調感度を確認した。また、これと比較するためＣＰＵ５のスペーサが全て樹脂製である点を除いて本発明品と同じ陰極線管装置（従来品）の速度変調感度を確認した。図６は速度変調感度の実験結果を示すグラフである。図６において、横軸は速度変調コイル１９に印加する速度変調信号の周波数を示している。縦軸の変調効果指標は、蛍光体スクリーンの中央部における５％輝度径（電子ビームスポットの輝度ピークを１００％としたときに、最低輝度から５％以下の部分を除去して得られる電子ビームのスポット径）を有する電子ビームスポットの水平方向の変位量を、速度変調周波数が１ＭＨｚのときの従来品での測定値を１００％として相対的に表したものである。この値が大きいほど速度変調感度がよく、画質が向上することを意味する。実験では、速度変調コイル１９への通電量は０．８Ａで一定とした。図６に示すように、本発明品の速度変調感度は、速度変調周波数に関わらず、従来品のほぼ１．５倍である。実際に、本発明品及び従来品の陰極線管装置をＴＶセットに組み込んで実用画質を比較したところ、本発明品の陰極線管装置を用いたＴＶセットの方が従来品の陰極線管装置を用いたＴＶセットに比べて著しく画質が向上していた。
【００３１】
また、上記特許文献２に記載されている、一対の強磁性体を陰極線管のネック部の外面に電子ビームを挟んで垂直方向に対向して配置した陰極線管装置を製作して、上記の本発明品の陰極線管装置とＣＰＵによるコンバーゼンス補正の作業性を比較した。特許文献２に記載されている陰極線管装置では、管軸と直交する方向から透視したときＣＰＵのマグネットリングと強磁性体とが重なり合っているため、４極及び６極のマグネットリングからの磁界が均等にならず、コンバーゼンス補正ができないケースが発生した。これに対して、本発明品の陰極線管装置では、管軸と直交する方向から透視したときＣＰＵのマグネットリングと磁性体からなるスペーサ１６とは重なり合わないので、４極磁界及び６極磁界が均等に分布し、コンバーゼンス補正が容易にできた。平均すると陰極線管装置１本当たりに要するコンバーゼンス調整時間は、本発明品の陰極線管装置は特許文献２に記載されている陰極線管装置に比べて約半減した。
【００３２】
また、特許文献２に記載されている陰極線管装置では、ネック部に一対の強磁性体を余分に付加する必要があるので部品点数及び組立工数が増え、コスト高になる。これに比べて本発明品の陰極線管装置では、樹脂製のスペーサに代えて磁性体製のスペーサを用いるだけであるので、特許文献２に記載されている陰極線管装置に比べると、一対の強磁性体に相当する２つの部品点数の削減が可能になり、コスト面においてもメリットがある。
【００３３】
尚、上記の実施形態では、ＣＰＵ５を保持する樹脂枠２０と偏向ヨーク４とが分離されている例を示したが、本発明はこれに限定されず、樹脂枠２０と偏向ヨーク４の絶縁枠４４とが一体であっても良い。
【００３４】
また、上記の実施形態ではＣＰＵ５の３つのスペーサ１６，１７，１８のうち、スペーサ１６のみが磁性体からなるが、本発明はこれに限定されず、スペーサ１７及び／又はスペーサ１８が磁性体からなっても良い。磁性体からなるスペーサの数が増加するほど、速度変調コイル１９の磁束の密度を更に高めることができ、速度変調感度が更に向上する。また、スペーサ１６を樹脂製とし、これ以外の少なくとも１以上のスペーサを磁性体製としても良い。
【００３５】
また、磁性体のスペーサを用いることにより偏向ヨーク４の磁界が電子銃６側へ漏れるのを防ぐことができる。従って、電子ビームがメインレンズ２０を通過する前に偏向ヨーク４からの漏れ磁界によって予備偏向されることがなくなるので、フェース部１の周辺でのフォーカスが良化する。
【００３６】
上記の実施例では、磁性体からなるスペーサに使用される磁性体の具体例としてＭｇ−Ｚｎフェライトの焼結体を例示したが、本発明はこれに限定されず、例えばＭｎ−Ｚｎフェライトの焼結体、Ｎｉ−Ｚｎフェライトの焼結体を用いることもできる。
【００３７】
上記の実施形態では、スペーサ１６が磁性体のみからなる例、即ち、スペーサの全ての外表面に磁性体が露出した例を示したが、本発明はこれに限定されない。例えば図７に示すように、管軸と直交する面が交差する、磁性体からなるスペーサ１６の外側の面（管軸とは反対側に向いた面、即ち、スペーサ１６の半径方向の最外表面）が非金属材料２５で覆われていても良い。これによりスペーサ１６が割れにくくなる。また、ＣＰＵ５を陰極線管に装着後に磁性体からなるスペーサ１６が割れたとしても、磁性体の全ての面は何れかの部材に接触しているため、その形状が崩れることはなく、よって、磁束密度を高めて速度変調感度を向上させるという所望の効果を得ることができる。非金属材料２５としては、例えば、スペーサ１６の外側面に巻回して貼着させた非金属製テープ、スペーサ１６の外側面を覆うように例えばスペーサ１６と一体成形により形成した樹脂、ＣＰＵ５を陰極線管に装着後にスペーサ１６の外側面を覆うように付与した難燃性の接着剤などを例示できる。
【産業上の利用可能性】
【００３８】
本発明の陰極線管装置の利用分野は特に限定されず、例えばテレビジョンまたはコンピュータディスプレイ等のカラー受像管装置として広範囲に利用できる。
【図面の簡単な説明】
【００３９】
【図１】本発明の一実施形態に係る陰極線管装置の概略構成を示す片断面図である。
【図２】本発明の一実施形態に係る陰極線管装置のネック部付近の拡大断面図である。
【図３】図３（Ａ）は速度変調コイルの概略構成を示した斜視図、図３（Ｂ）は図３（Ａ）に示す管軸に沿った矢印３Ｂから見た速度変調コイルの正面図、図３（Ｃ）は速度変調コイルを構成するループコイルの平面展開図である。
【図４】図４（Ａ）は全てのスペーサが樹脂製である従来の陰極線管装置の速度変調コイル周辺の磁束の様子を示す図である。図４（Ｂ）は本発明の一実施形態の陰極線管装置の速度変調コイル周辺の磁束の様子を示す図である。
【図５】図５（Ａ）はネック部の管軸に沿った断面図、図５（Ｂ）は全てのスペーサが樹脂製である場合において管軸（Ｚ軸）に沿って磁束密度変化を測定した結果を示した図、図５（Ｃ）は磁性体からなるスペーサを用いた場合において管軸（Ｚ軸）に沿って磁束密度変化を測定した結果を示した図である。
【図６】本発明及び従来の陰極線管装置の速度変調感度を測定した結果を示した図である。
【図７】本発明の一実施形態に係る陰極線管装置に使用される磁性体からなるスペーサの別の例を示した斜視図である。
【符号の説明】
【００４０】
１…フェース部
１Ａ…蛍光体スクリーン
２…ファンネル部
３…ネック部
４…偏向ヨーク
５…ＣＰＵ
６…電子銃
７…陰極
８…制御電極
９Ａ，９Ｂ…加速電極
１０Ａ，１０Ｂ，１０Ｃ…集束電極
１１…陽極
１２…メインレンズ
１３Ａ…ピュリティ補正用２極マグネットリング
１３Ｂ…ラスター歪補正用２極マグネットリング
１４…４極マグネットリング
１５…６極マグネットリング
１６…磁性体スペーサ
１７…２極マグネットリングと４極マグネットリングの間の樹脂製スペーサ
１８…４極マグネットリングと６極マグネットリングの間の樹脂製スペーサ
１９…速度変調コイル
２０…スプリング
２２…シールドカップ
２５…非金属材料
【図１】
2005285751.tif 000003
【図２】
2005285751.tif 000004
【図３】
2005285751.tif 000005
【図４】
2005285751.tif 000006
【図５】
2005285751.tif 000007
【図６】
2005285751.tif 000008
【図７】
2005285751.tif 000009